(57)【要約】    【課題】  動画サイトにおけるコメントを利用した広告をする。    【解決手段】  動画タグ記憶手段１１は、ユーザコンピュータから与えられた、配信した動画データの再生位置およびコメントを、動画タグ付けデータとして動画に対応づけて記憶する。配信制御手段１２は、配信する動画と対応づけられている動画タグデータを動画タグ記憶手段１２から読み出して、前記動画配信要求をしたユーザコンピュータに送信する。ユーザ属性取得手段１３は、前記動画配信要求をしたユーザコンピュータ１０を操作するユーザの属性を取得する。配信制御手段１１は、動画タグ記憶手段１２から読み出した動画タグデータのうち、前記ユーザ属性に合致する動画コメントである場合には、ユーザコンピュータ１０に配信する。【選択図】  図１
2016051620.tif 000002
【特許請求の範囲】
【請求項１】
ユーザ端末から与えられた、前記配信した動画データの再生位置および当該再生位置に表示を希望する動画コメントを、動画タグ付けデータとして動画に対応づけて記憶する動画タグ記憶手段、
配信する動画を特定した動画配信要求を受けとると、動画配信コンピュータから要求された動画を配信させるとともに、前記配信する動画と対応づけられている動画タグデータを前記動画タグ記憶手段から読み出して、前記動画配信要求をしたユーザ端末に送信する配信制御手段、
ユーザの属性を記憶する属性記憶手段から、前記動画配信要求をしたユーザ端末を操作するユーザの属性を取得するユーザ属性取得手段、
を備えており、
前記配信制御手段は、前記動画タグ記憶手段から読み出した動画タグデータのうち、前記ユーザ属性に合致する動画コメントである場合には、前記ユーザ端末に配信すること、
を特徴とする動画タグコメント表示制御装置。
【請求項２】
請求項１の動画タグコメント表示制御装置において、
前記配信制御手段は、動画コメントの意味解析をし、前記ユーザ属性に合致するか否か判断すること、
を特徴とする動画タグコメント表示制御装置。
【請求項３】
請求項２の動画タグコメント表示制御装置において、
前記配信制御手段は、動画コメントからキーワードを抽出して、前記キーワード以外の単語として肯定的表現がある場合には、前記ユーザ属性に合致すると判断すること、
を特徴とする動画タグコメント表示制御装置。
【請求項４】
請求項２の動画タグコメント表示制御装置において、
前記配信制御手段は、動画コメントからキーワードを抽出して、前記キーワード以外の単語として否定的表現がある場合には、前記ユーザ属性に合致しないと判断すること、
を特徴とする動画タグコメント表示制御装置。
【請求項５】
請求項１〜請求項４のいずれかの動画タグコメント表示制御装置において、
前記配信制御手段は、前記ユーザ属性は、そのユーザの行動履歴から推定すること、
を特徴とする動画タグコメント表示制御装置。
【請求項６】
請求項１〜請求項５のいずれかの動画タグコメント表示制御装置において、
前記配信制御手段は、前記配信対象としなかった動画コメントについて、対応する再生位置情報も配信対象から除外すること、
を特徴とする動画タグコメント表示制御装置。
【請求項７】
請求項１〜請求項６のいずれかの動画タグコメント表示制御装置において、
前記配信制御手段は、再生位置が近いマークはまとめて表示するように、配信すること、
を特徴とする動画タグコメント表示制御装置。
【請求項８】
請求項１〜請求項７のいずれかの動画タグコメント表示制御装置において、
前記まとめて表示されたマークは、まとめられたことが報知される特性を有すること、
を特徴とする動画タグコメント表示制御装置。
【請求項９】
請求項１〜請求項８のいずれかの動画タグコメント表示制御装置において、
前記配信制御手段は、前記マークを選択すると、そのマークのコメントが表示されるコメント隠しモードで配信すること、
を特徴とする動画タグコメント表示制御装置。
【請求項１０】
ユーザ端末から、再生位置を指定した配信対象の動画ファイルの配信要求が与えられると、前記ユーザ端末に、動画配信スクリプトを配信するWebサーバ、
前記動画配信スクリプトに基づいて、前記ユーザ端末から配信要求を受けとると、対象の動画を配信する動画配信コンピュータ、
請求項１〜請求項９のいずれかの動画タグコメント表示制御装置、
を備えた動画配信における広告管理システムであって、
前記動画タグコメント表示制御装置は、前記動画タグ付けデータの再生位置に広告挿入タグを挿入して記憶すること、
を備えた動画配信における広告管理システム。
【請求項１１】
請求項１０の動画配信における広告管理システムであって、さらに、
前記広告挿入タグを読み出す広告挿入タグ読み出し手段、および前記広告挿入タグに基づいて、前記配信する動画の広告挿入タグに対応する再生位置の広告枠に広告を出稿するよう決定する広告決定手段を有する広告決定装置を備えたこと、
を特徴とする動画配信における広告管理システム。
【請求項１２】
コンピュータを下記手段として機能させるための動画タグコメント表示制御プログラム。
ユーザ端末から与えられた、前記配信した動画データの再生位置および当該再生位置に表示を希望する動画コメントを、動画タグ付けデータとして動画に対応づけて記憶する動画タグ記憶手段、
ユーザの属性を記憶する属性記憶手段から、前記動画配信要求をしたユーザ端末を操作するユーザの属性を取得するユーザ属性取得手段、
配信する動画を特定した動画配信要求を受けとると、動画配信コンピュータから動画を配信させるとともに、前記配信する動画と対応づけられている動画タグデータを前記動画タグ記憶手段から読み出して、前記動画配信要求をしたユーザ端末に送信する手段であって、前記動画タグ記憶手段から読み出した動画タグデータのうち、前記ユーザ属性に合致する動画コメントである場合には、前記ユーザ端末に配信する配信制御手段。
【発明の詳細な説明】
【技術分野】
【０００１】
この発明は、動画タグコメント表示制御装置に関し、特にコメントの表示・非表示に関する。  
【背景技術】
【０００２】
特許文献１には、ストリーミング動画についてこの動画を見たユーザが所望の位置に注釈をつけて、別のユーザが注釈をみて、途中からの再生を可能にする再生技術が開示されている。これにより、検索エンジンによる検索結果を利用したストリーミング動画へのアクセスが向上するものと期待される。
【先行技術文献】
【特許文献】
【０００３】
【特許文献１】特開2008-24091号公報
【発明の概要】
【発明が解決しようとする課題】
【０００４】
しかしながら、特許文献１においては、タグのコメントとして、ニコニコ動画(登録商標)のような「○○ちゃん、かわいい〜」、「声が変だ〜」というような主観的評価を表す用語が多数、付与される場合もある。この場合、特許文献１の図３のような画面であれば、タグ位置および付与されているコメントがすべて表示される。【０００５】
もし、前記あるタレントのファンが第三者の評価としてネガティブなコメントが多数なされていると、せっかく検索エンジンからたどり着いたのに、当該動画をユーザが再生することなく、別のサイトに移動してしまうおそれがある。【０００６】
本発明は、上記のような問題点を解決して、動画の途中に多くのコメントを付すことのできる動画タグコメントの表示処理において、当該動画サイトにおける評価向上を可能とするシステムを提供することを目的とする。また、かかるコメントを利用した効果的な広告を可能とする広告管理装置を提供することを目的とする。【０００７】
この発明の特徴、他の目的、用途、効果等は、実施例および図面を参酌することにより明らかになるであろう。
【課題を解決するための手段】
【０００８】
(1)本発明にかかる動画タグコメント表示制御装置は、1)ユーザ端末から与えられた、前記配信した動画データの再生位置および当該再生位置に表示を希望する動画コメントを、動画タグ付けデータとして動画に対応づけて記憶する動画タグ記憶手段、2)配信する動画を特定した動画配信要求を受けとると、動画配信コンピュータから要求された動画を配信させるとともに、前記配信する動画と対応づけられている動画タグデータを前記動画タグ記憶手段から読み出して、前記動画配信要求をしたユーザ端末に送信する配信制御手段、3)ユーザの属性を記憶する属性記憶手段から、前記動画配信要求をしたユーザ端末を操作するユーザの属性を取得するユーザ属性取得手段、を備えており、4)前記配信制御手段は、前記動画タグ記憶手段から読み出した動画タグデータのうち、前記ユーザ属性に合致する動画コメントである場合には、前記ユーザ端末に配信する。【０００９】
したがって、前記ユーザ属性に合致する動画コメントを前記ユーザ端末に配信できる。これにより、前記ユーザ端末の操作者を、当該配信している動画の視聴にとどまらせる可能性を高くして、その結果、広告効果の高い動画コンテンツを提供することができる。【００１０】
(2)本発明にかかる動画タグコメント表示制御装置においては、前記配信制御手段は、動画コメントの意味解析をし、前記ユーザ属性に合致するか否か判断する。したがって、前記ユーザ属性に合致する動画コメントを前記ユーザ端末に配信できる。これにより、前記動画コメントの意味解析から前記ユーザ属性に合致する動画コメントを配信することができる。【００１１】
(3)本発明にかかる動画タグコメント表示制御装置においては、前記配信制御手段は、動画コメントからキーワードを抽出して、前記キーワード以外の単語として肯定的表現がある場合には、前記ユーザ属性に合致すると判断する。これにより、前記キーワード以外の単語として肯定的表現がある場合に、前記ユーザ属性に合致する動画コメントを配信することができる。【００１２】
(4)本発明にかかる動画タグコメント表示制御装置においては、前記配信制御手段は、動画コメントからキーワードを抽出して、前記キーワード以外の単語として否定的表現がある場合には、前記ユーザ属性に合致しないと判断する。これにより、前記キーワード以外の単語として否定的表現がある場合に、前記ユーザ属性に合致する動画コメントは配信対象から除外することができる。【００１３】
(5)本発明にかかる動画タグコメント表示制御装置においては、前記配信制御手段は、前記ユーザ属性は、そのユーザの行動履歴から推定する。したがって、前記ユーザの行動履歴に基づいて動画コメントを配信することができる。【００１４】
(6)本発明にかかる動画タグコメント表示制御装置においては、前記配信制御手段は、前記配信対象としなかった動画コメントについて、対応する再生位置情報も配信対象から除外する。したがって、前記ユーザにとって、好ましくないであろうと思われる動画コメントそれ自体が存在しないかのように前記ユーザに感じさせることができる。【００１５】
(7)本発明にかかる動画タグコメント表示制御装置においては、前記配信制御手段は、再生位置が近いマークはまとめて表示するように、配信する。したがって、同じような再生位置にあるマークをスッキリと表示させることができる。【００１６】
(8)本発明にかかる動画タグコメント表示制御装置においては、前記まとめて表示されたマークは、まとめられたことが報知される特性を有する。したがって、ユーザは複数のマークがまとめられていることを知ることができる。【００１７】
(9)本発明にかかる動画タグコメント表示制御装置においては、前記配信制御手段は、前記マークを選択すると、そのマークのコメントが表示されるコメント隠しモードで配信する。したがって、前記マークを選択しない場合には、前記コメントを表示しないようにすることができる。【００１８】
(10)本発明にかかる広告管理システムは、ユーザ端末から、再生位置を指定した配信対象の動画ファイルの配信要求が与えられると、前記ユーザ端末に、動画配信スクリプトを配信するWebサーバ、前記動画配信スクリプトに基づいて、前記ユーザ端末から配信要求を受けとると、対象の動画を配信する動画配信コンピュータ、請求項１〜請求項９のいずれかの動画タグコメント表示制御装置、を備えた動画配信における広告管理システムであって、前記動画タグコメント表示制御装置は、前記動画タグ付けデータの再生位置に広告挿入タグを挿入して記憶する。したがって、動画の途中に付与されたコメントにあわせて、広告を挿入することが可能となる。
【００１９】
(11)本発明にかかる動画配信における広告管理システムにおいては、さらに、前記広告挿入タグを読み出す広告挿入タグ読み出し手段および前記広告挿入タグに基づいて、前記配信する動画の広告挿入タグに対応する再生位置の広告枠に広告を出稿するよう決定する広告決定手段を有する広告決定装置を備えている。したがって、動画の途中に付与されたコメントにあわせて、広告を挿入することが可能となる。
【図面の簡単な説明】
【００２０】
【図１】この発明にかかる動画配信システム１を構成するコンピュータ群を示す。
【図２】タグ管理サーバ５のハードウエア構成である。
【図３】コメント記憶部に記憶されるデータの一例である。
【図４】否定表現を判断する辞書の一例である。
【図５】配信される動画画面の一例である。
【図６】全体の処理概要を示す図である。
【発明を実施するための形態】
【００２１】
１．全体構成
機能ブロック図
図１に、本発明にかかる動画配信システム１の概要図を示す。動画配信システム１は、Webサーバ３、ストリーミングサーバ７、タグ管理サーバ５、ユーザコンピュータ１０を備えている。
【００２２】
Webサーバ３およびストリーミングサーバ７は、従来の動画ストリーミング配信を行うものと同じである。すなわち、ユーザコンピュータ１０のブラウザプログラムから、ファイルおよびその再生開始時間を特定した動画配信要求が、Webサーバ３に与えられると、Webサーバ３からHTMLデータがユーザコンピュータ１０に返信される。かかるHTMLデータを受けて、動画領域以外の表示を行う。また、かかるHTMLデータには、動画取得タグが含まれている。
【００２３】
ユーザコンピュータ１０のブラウザプログラムは、かかる動画取得タグに基づき、ストリーミングサーバ７に、希望する再生開始時刻から希望する動画ファイルのストリーミング配信の要求を行う。これにより、動画の途中からストリーミング配信がなされる。
【００２４】
タグ管理サーバ５は、このようにして配信される動画についてのタグ管理を行うサーバであって、動画タグ記憶手段１１、配信制御手段１２、ユーザ属性取得手段１３、を備えている。
【００２５】
動画タグ記憶手段１１は、ユーザコンピュータから与えられた、前記配信した動画データの再生位置および当該再生位置に表示を希望する動画コメントを、動画タグ付けデータとして動画に対応づけて記憶する。配信制御手段１２は、配信する動画を特定した動画配信要求を受けとると、ストリーミングサーバ７から動画を配信させるとともに、前記配信する動画と対応づけられている動画タグデータを動画タグ記憶手段１２から読み出して、前記動画配信要求をしたユーザコンピュータ１０に送信する。
【００２６】
また、ユーザ属性取得手段１３は、ユーザの属性を記憶する属性記憶手段から、前記動画配信要求をしたユーザコンピュータを操作するユーザの属性を取得する。配信制御手段１１は、動画タグ記憶手段１２から読み出した動画タグデータのうち、前記ユーザ属性に合致する動画コメントである場合には、前記ユーザコンピュータに配信する。
【００２７】
２．ハードウェア構成
図１に示すタグ管理サーバ５のハードウェア構成について、図２を用いて説明する。同図は、タグ管理サーバ５を、ＣＰＵを用いて構成したハードウェア構成の一例である。
【００２８】
タグ管理サーバ５は、ＣＰＵ２３、メモリ２７、ハードディスク２６、モニタ３０、光学式ドライブ２５、入力デバイス２８、通信ボード３１、およびバスライン２９を備えている。ＣＰＵ２３は、ハードディスク２６に記憶された各プログラムにしたがいバスライン２９を介して、各部を制御する。
【００２９】
ハードディスク２６は、コメント記憶部２６C、オペレーティングシステムプログラム２６ｏ（以下ＯＳと略す）、コメント解析プログラム２６J、メインプログラム２６ｐが記憶される。
【００３０】
コメント記憶部２６Cは、当該動画を再生したユーザが図３に示すように、任意の再生位置に付したコメントを記憶する。
【００３１】
コメント解析プログラム２６Jは、各コメントが肯定的か否定的かを判断する。このプログラムは、図４に示すようなNGワード辞書を記憶しており、各コメントを解析し、前記NGワード辞書を用いて各コメントが肯定的か否定的かを判断する。例えば、「彼女はかわいい」であれば、形態素解析を行ない、NGワードが含まれているか判断する。この場合、「彼女」「は」「かわいい」に分けられて、いずれも図４に示すNGワードは含まれていないので、肯定的なコメントであると判断する。これに対して、「ひどい」というコメントであれば、図４に示すNGワードに該当するので、否定的なコメントと判断する。
【００３２】
なお、「悪くないね」というようなコメントの場合、NGワードを含んでいるが、これを全体として否定しているコメントもある。この場合には、NGワードをさらに否定しているので、全体としては肯定であると判断する。
【００３３】
メインプログラム２６ｐは、図５に示すような動画再生時に、対応づけられたコメントを表示する。詳細は後述する。
【００３４】
本実施形態においては、オペレーティングシステムプログラム（ＯＳ）２６ｏとして、Windows2008 R2（登録商標または商標）を採用したが、これに限定されるものではない。
【００３５】
なお、上記各プログラムは、光学式ドライブ２５を介して、プログラムが記憶されたＣＤ−ＲＯＭ２５ａから読み出されてハードディスク２６にインストールされたものである。なお、ＣＤ−ＲＯＭ以外に、フレキシブルディスク（ＦＤ）、ＩＣカード等のプログラムをコンピュータ可読の記録媒体から、ハードディスクにインストールさせるようにしてもよい。さらに、通信回線を用いてダウンロードするようにしてもよい。
【００３６】
本実施形態においては、プログラムをＣＤ−ＲＯＭからハードディスク２６にインストールさせることにより、ＣＤ−ＲＯＭに記憶させたプログラムを間接的にコンピュータに実行させるようにしている。しかし、これに限定されることなく、ＣＤ−ＲＯＭに記憶させたプログラムを光学式ドライブ２５から直接的に実行するようにしてもよい。なお、コンピュータによって、実行可能なプログラムとしては、そのままインストールするだけで直接実行可能なものはもちろん、一旦他の形態等に変換が必要なもの（例えば、データ圧縮されているものを、解凍する等）、さらには、他のモジュール部分と組合して実行可能なものも含む。
【００３７】
ストリーミングサーバ７およびWebサーバ３のハードウェア構成は従来と同様であるので説明は省略する。
【００３８】
３．動画コメント配信処理について
図６に、動画コメント表示処理におけるデータのやりとりを示す。
【００３９】
以下では、図１に示すユーザコンピュータ１０から、ユーザXがWebサーバ３にログインして、特定の動画を特定の再生開始時刻から再生するとともに、この動画に付与されたコメントタグをユーザコンピュータ１０に表示する場合について説明する。
【００４０】
Webサーバ３、ストリーミングサーバ７およびタグ管理サーバ５は、ユーザコンピュータ１０との間で以下のようなデータの送受信をおこなう。
【００４１】
ユーザコンピュータ１０の操作者は、ログイン後、ブラウザプログラム（図示せず）から、ファイル名および再生開始時刻を特定した動画配信要求をWebサーバ３に行う（図６ステップS1）。これにより、Webサーバ３はユーザコンピュータ１０に、HTMLデータを配信する。かかるHTMLデータには、枠を表示するための描画用画像データ、各種のボタンの画像データ、さらに前記枠内に表示する動画データを取得するアクセス先のファイルのURLが含まれている（ステップS２）。またログインしたユーザのユーザ属性も含まれている。かかるユーザ属性とは、そのユーザの静的な属性(年齢、性別、興味があることなど)はもちろん、動的な行動履歴（過去の検索履歴や特定のウェブサイトの閲覧傾向など）などである。ユーザ属性の利用については後述する。
【００４２】
ユーザコンピュータ１０のブラウザプログラムは、前記HTMLデータに基づいて、動画領域の外側の画像を描画して、モニタ表示する（ステップS3)（図示せず）。
【００４３】
前記受け取ったHTMLデータには、動画を取得するスクリプトが含まれており、ユーザコンピュータ１０のブラウザプログラムは、ステップS３と並行して、かかるスクリプトに基づき、動画取得を行う（ステップS４）。具体的には、Webサーバ３が受け取ったファイル名および再生開始時刻を含めた動画データ取得先のURLが前記HTMLデータに含まれているので、そのURLにアクセスする。ストリーミングサーバ７は、特定された動画ファイルを特定された再生位置からストリーミング配信を行う(ステップS５)。ユーザコンピュータ１０のブラウザプログラムは、配信された動画データをモニタの動画枠に表示する（ステップS６)（図示せず）。
【００４４】
前記受け取ったHTMLデータには、自分自身のユーザ属性およびコメントを取得するスクリプトが含まれており、ユーザコンピュータ１０のブラウザプログラムは、ステップS３と並行して、ユーザ属性を用いたコメント取得をタグ管理サーバ５に行う（ステップS７）。
【００４５】
タグ管理サーバ５は、受け取ったユーザ属性に基づいて、配信するコメントと配信しないコメントとを区別する(ステップS８）。
【００４６】
例えば、ユーザXが視聴希望しているのが図5に示すグループYが登場する動画であり、ユーザXがこのグループYのファンであったとする。かかるグループYが登場する動画には、肯定的なコメントと否定的なコメントが存在する。もし、否定的なコメントが多い場合、すべてのタグコメントをユーザXに配信すると、グループYのファンであるユーザXは、動画再生を中止して別のウェブサイトに移ってしまうおそれもある。
【００４７】
そこで、ユーザXのユーザ属性を利用して、ユーザXが好まないであろう否定的なコメントについてはこれを表示しないようにすることにより、少しでも長く配信動画の視聴を維持させることができる。
【００４８】
否定的なコメントか否かは、コメント解析プログラム２６Jに判断させればよい。
【００４９】
この場合、図３に示すようなコメントが付与されている場合、「酷い」「へたくそ」については、否定的なコメントとして判断され、配信コメントから削除される。
【００５０】
タグ管理サーバ５は、配信対象としたコメントをユーザコンピュータ１０に配信し(ステップS９）、ユーザコンピュータ１０はかかるコメントを表示する(ステップS１０）。これにより、図５に示すように当該ユーザにとって好ましくないであろうコメントは表示されない。
【００５１】
かかる視聴しているユーザは、さらに追加のコメントを付与することができる。図５において、画面１Ｋはメイン画面である。メイン画面には動画の任意再生時間にタグアイコン６０iをクリックすることにより、任意の再生位置について、コメント付きのタグを付与することができる。
【００５２】
ユーザコンピュータ１０は、ユーザからかかるタグ付与命令を受けると(ステップS１１）、タグ管理サーバ５にコメント書き込み要求を行う(ステップS１２）。
【００５３】
タグ管理サーバ５は、このコメントを再生位置とともに図3に示すコメント記憶部２６Cに追記するとともに、かかる再生位置に広告挿入タグを追加する。これにより、動画配信の途中に個別広告を行うことができる。また、かかる広告が表示される動画については、否定的なコメントが表示されないので、広告効果も期待できる。
【００５４】
４.  他の実施形態
本実施形態においては、タグコメントの意味解析をし、前記ユーザ属性に合致するか否か判断するようにしたが、前記ユーザ属性からユーザが興味あるキーワードを決定し、各タグコメントにこのキーワードがあるか否か判断し、前記キーワード以外の単語として肯定的表現がある場合には、前記ユーザ属性に合致すると判断するようにしてもよい。
【００５５】
また、各動画コメントからキーワードを抽出して、前記キーワード以外の単語として否定的表現がある場合には、前記ユーザ属性に合致しないと判断してもよい。
【００５６】
本実施形態においては、ストリーミング配信されるユーザについて、否定的表現である場合には、前記ユーザ属性に合致しないと判断するようにしたが、否定的表現以外でも、配信対象ユーザがそのようなコメントに不快感を受けるような場合に、前記ユーザ属性に合致しないと判断するようにしてもよい。
【００５７】
本実施形態においては、動画はストリーミング配信する場合について説明したが、一旦ダウンロードしてから再生するようにしてもよい。
【００５８】
上記実施形態においては、ユーザ属性を用いて、そのユーザが表示を望まないであろう否定的なコメントを排除するようにしたが、ユーザ属性を用いなくても、すべての否定的なコメントを排除するようにしてもよい。
【００５９】
タグコメントは、当該タグがついている再生位置になったタイミングで表示するようにしてもよい。また、否定的なコメント以外はすべて取得するようにしたが、途中再生の場合には、再生開始位置以降に付加されているコメントのみを取得するようにしても良い。
【００６０】
本実施形態においては、ユーザ属性はログインしたWeb３からcookieとして受け取るようにしたが、他のウェブサイトのIDでログインして、ログインしたIDのユーザ属性をcookieとして受けとるようにしてもよい。例えば、Gメールアドレスでログインできるウェブサーバがあった場合、ユーザ属性はGメールアドレスに関連づけられている属性をcookieとして受けとれるようにしてもよい。かかるcookie意外であっても、ユーザ属性を受けとれるのであれば任意である。
【００６１】
また、再生位置が近いマークはまとめて表示するようにしてもよい。その場合、まとめて表示されたマークは、まとめられたことを報知できるように、通常のマークとは区別できるような特性（例えば、大きさ、色など)で表示するようにしてもよい。
【００６２】
本実施形態においては、取得したコメントはすべて表示するようにしたが、対応するアイコンを選択したときに、そのマークに対応づけられているコメントが表示されるコメント隠しモードで配信し、ユーザコンピュータ１０にて表示・非表示できるようにしてもよい。
【００６３】
また、コメントは否定的なものも含めて、ユーザコンピュータ１０にて取得しておき、デフォルトでは非表示としておき、対応するマークが選択された場合には、そのマークのコメントが表示されるようにしてもよい。
【００６４】
本実施形態においては、動画データはストリーミングサーバ７から、それ以外の動画の制御ボタンについては、Webサーバ３から配信するようにした。しかしこれに限定されず、ストリーミングサーバ７から前記制御ボタンも含めて動画枠として配信するようにしてもよい。
【００６５】
本発明にかかる動画タグコメント表示制御装置は、前記広告挿入タグを読み出す広告挿入タグ読み出し手段、および前記広告挿入タグに基づいて、前記配信する動画の広告挿入タグに対応する再生位置の広告枠に広告を出稿するよう決定する広告決定手段を有する広告決定コンピュータをさらに有する広告管理システムとして利用することができる。かかる広告挿入タグ読み出し手段、および広告決定手段は、DSP（DEMAND-Side  Platform）などの周知の構成を採用すればよい。
【００６６】
上記においては、本発明を好ましい実施形態として説明したが、各用語は、限定のために用いたのではなく、説明のために用いたものであって、本発明の範囲および精神を逸脱することなく、添付のクレームの範囲において、変更することができる。
【図１】
2016051620.tif 000003
【図２】
2016051620.tif 000004
【図３】
2016051620.tif 000005
【図４】
2016051620.tif 000006
【図５】
2016051620.tif 000007
【図６】
2016051620.tif 000008
【国際調査報告】
2016051620.tif 000009
2016051620.tif 000010
2016051620.tif 000011
2016051620.tif 000012